【手続補正書】
【提出日】平成22年5月6日(2010.5.6)
【手続補正１】
【補正対象書類名】特許請求の範囲
【補正対象項目名】全文
【補正方法】変更
【補正の内容】
【特許請求の範囲】
【請求項１】
眼組織に有害でない、眼組織の非侵襲生体評価方法であって、
ａ）偏光で生体眼組織を照射し、生体眼組織内の蛍光体に蛍光を発生させるステップと、
ｂ）組織内の複数の深さにおける蛍光体から放射された蛍光の定常状態の蛍光異方性を測定するために受けた光を利用するステップと、
ｃ）組織から得た定常状態の蛍光異方性と、照合組織から収集した定常状態の蛍光異方性の測定と、を比較するステップと、そして、
ｄ）ステップ（ｃ）の結果に基づき、複数の眼組織の機能障害に関して、組織を評価するステップと、を含み、
組織の機能障害は、照合組織から収集した定常状態の蛍光異方性の測定と比較した、組織から得た定常状態の蛍光異方性の変化によって判断される、方法。
【請求項２】
蛍光体は組織の内因性である、請求項１の方法。
【請求項３】
測定は、正常組織を反映した蛍光異方性のデータベースを作成するために対象の調査することで収集された、請求項１の方法。
【請求項４】
ステップ（ｄ）は、組織の病状についての情報を得るステップを含む、請求項１の方法。
【請求項５】
ステップ（ｄ）は、組織の代謝についての情報を得るステップを含む、請求項１の方法。
【請求項６】
ステップ（ｄ）は、前記組織が構造的障害の兆候を表す前に前記組織の機能障害を判断するステップを含む、請求項１の方法。
【請求項７】
機能障害は、低酸素症および初期のアポトーシスからなる群から選択された、請求項６の方法。
【請求項８】
異方性のプロファイルを既知のパターンと一致させるパラメータを選択すること、および、未知の組織試料の定常状態の蛍光異方性を分析するために前記パラメータを使用することによって、前記偏光を発生させるためのシステムをキャリブレーションするステップをさらに含む、請求項１の方法。
【請求項９】
ステップ（ａ）および（ｂ）および（ｃ）は組織内の複数の点で行い、組織の領域の定常状態の蛍光異方性の空間マップを得る、請求項１の方法。
【請求項１０】
ステップ（ｃ）は、前記空間マップと前記照合組織に対応した同様の空間マップとを比較するステップを含む、請求項９の方法。
【請求項１１】
生体眼組織の機能的能力を評価する非破壊的方法であって、
ａ）眼組織の代謝または機能の第一状態として、眼組織内の複数の深さにおける蛍光体から放射された蛍光の第一定常状態の蛍光異方性を非破壊的に測定するステップと、
ｂ）代謝または機能の第二状態として、蛍光体から放射された蛍光の第二定常状態の蛍光異方性を非破壊的に測定するステップと、
ｃ）第一定常状態の蛍光異方性と第二定常状態の蛍光異方性とを比較することにより、蛍光異方性の変化を求めるステップと、
ｄ）同一の代謝または機能の状態にある照合眼組織内の複数の深さにおける蛍光体からの、対応する蛍光異方性の変化を得るステップと、
ｅ）被評価眼組織の蛍光異方性の変化と、照合眼組織の対応する蛍光異方性の変化と、の差を利用して、前記被評価眼組織の複数の深さにおける機能的能力を測定するステップと、
を含む方法。
【請求項１２】
蛍光体は眼組織の内因性である、請求項１１の方法。
【請求項１３】
方法は非侵襲的に行う、請求項１１の方法。
【請求項１４】
第一状態は刺激を与えない状態からなり、第二状態は刺激を与えた状態からなる、請求項１１の方法。
【請求項１５】
刺激を与えた状態は眼組織を、蛍光励起には足りない程度の光にさらすことでもたらす、請求項１４の方法。
【請求項１６】
ステップ（ｄ）は、眼組織の病状の情報を得るステップを含む、請求項１１の方法。
【請求項１７】
ステップ（ｄ）は、眼組織の代謝についての情報を得るステップを含む、請求項１１の方法。
【請求項１８】
ステップ（ｄ）は、前記組織が構造的障害の兆候を表す前に眼組織の機能障害を判断するステップを含む、請求項１１の方法。
【請求項１９】
機能障害は、低酸素症および初期のアポトーシスからなる群から選択された、請求項１８の方法。
【請求項２０】
異方性のプロファイルを既知のパターンと一致させるパラメータを選択すること、および、未知の組織試料の定常状態の蛍光異方性を分析するために前記パラメータを使用することによって、定常状態の蛍光異方性を測定するためのシステムをキャリブレーションするステップをさらに含む、請求項１１の方法。
【請求項２１】
ステップ（ａ）、（ｂ）および（ｃ）は組織内の複数の点で行い、眼組織の領域の定常状態の蛍光異方性の空間マップを得る、請求項１１の方法。
【請求項２２】
ステップ（ｄ）は、第一状態の組織に関して得た前記空間マップと第二状態の組織に対応した空間マップとを比較し、蛍光異方性の変化の空間マップを得るステップを含み、ステップ（ｅ）は、蛍光異方性の変化の空間マップを利用して組織の機能的能力が低下した領域を判断するステップを含む、請求項２１の方法。
【請求項２３】
生物組織を評価する装置であって、
ａ）偏光で生物組織を照射し、組織内の蛍光体に蛍光を発生させる手段と、
ｂ）蛍光体から放射された蛍光の定常状態の蛍光異方性を測定する手段と、
ｃ）組織から得た定常状態の蛍光異方性と、照合組織から収集した定常状態の蛍光異方性の測定と、を比較する手段と、を含み、
前記比較する手段は、前記比較する手段の出力に基づいて組織を評価する手段と接続され、照合組織から収集した定常状態の蛍光異方性と比較した組織から得た定常状態の蛍光異方性の減少によって組織の機能障害を表示する、装置。
【請求項２４】
定常状態の蛍光異方性の測定値によって病状の重大さを判断する手段をさらに含む、請求項２３の装置。
【請求項２５】
組織の複数の場所の定常状態の蛍光異方性の値を測定する手段と、
前記組織と前記照合組織との対応する点の間の蛍光異方性の差からなるマップを生成する手段と、をさらに含む、請求項２３の装置。
【請求項２６】
生物組織を評価する装置であって、
ａ）偏光で生物組織を照射し、組織内の蛍光体に蛍光を発生させる手段と、
ｂ）蛍光体から放射された蛍光の定常状態の蛍光異方性を測定する手段と、
ｃ）第一状態の組織から得た定常状態の蛍光異方性と、第二状態の同じ組織から収集した定常状態の蛍光異方性の測定と、を比較する手段と、を含み、
前記比較する手段は、前記比較する手段の出力に基づいて組織を評価する手段と接続され、前記評価する手段は、二つの状態の間の定常状態の蛍光異方性の変化の大きさの減少によって組織の機能障害を表示する、装置。
【請求項２７】
定常状態の蛍光異方性の測定値によって病状の重大さを判断する手段をさらに含む、請求項２６の装置。
【請求項２８】
組織の複数の場所の定常状態の蛍光異方性の値を測定する手段と、
前記組織の第一および第二状態の対応する点の間の蛍光異方性の差を有するマップを生成する手段と、をさらに含む、請求項２６の装置。
【請求項２９】
蛍光体は、ミトコンドリアの内因性である、請求項２の方法。
【請求項３０】
偏光は、リポアミドデヒドロゲナーゼ（ＬｉｐＤＨ）内に蛍光を生じさせるように選択される、請求項２９の方法。
【請求項３１】
偏光は生体眼組織に損傷を与えない、請求項３０の方法。
【請求項３２】
偏光は、４８８ｎｍの波長を有する、請求項３０の方法。
【請求項３３】
代謝的および機能的に活性な蛍光体は、蛍光異方性のそれぞれの値に基づき、代謝的および機能的に不活性な蛍光体から隔離される、請求項８の方法。
【請求項３４】
代謝的および機能的に不活性な蛍光体からの寄与を取り除くためにフィルタを利用するステップをさらに有する、請求項３３の方法。
【請求項３５】
フィルタはノッチフィルタである、請求項３４の方法。
【請求項３６】
組織内の異なる深さにおける二次元のマップを結合して、組織内の定常状態の蛍光異方性の三次元量を作成するために、光学的連続的分割が用いられる、請求項９の方法。
【請求項３７】
第一状態の組織の空間マップは、第二状態の同じ組織の空間マップから画素ごとに差し引かれることにより、二次元の定常状態の蛍光異方性のマップを作成する、請求項２２の方法。
【請求項３８】
組織内の異なる深さにおいて得られた二次元のマップを結合して、第一状態から第二状態への定常状態の蛍光異方性の変化の三次元量を生成するために、光学的連続的分割を利用する、請求項３７の方法。
【請求項３９】
第二状態は、組織を蛍光体の蛍光励起には足りない放射強度で照射することで生じさせる、請求項１５の方法。
【請求項４０】
第二状態は、組織を増加させた酸素にさらすことで生じさせる、請求項１２の方法。
【請求項４１】
蛍光体は、ミトコンドリアの蛍光体である、請求項１２の方法。
【請求項４２】
蛍光体は、リポアミドデヒドロゲナーゼ（ＬｉｐＤＨ）である、請求項４１の方法。
【請求項４３】
ＬｉｐＤＨ内に蛍光を生じさせるために選択される偏光は、第一状態および第二状態のＬｉｐＤＨから放射される蛍光の定常状態の蛍光異方性を測定するのに使用される、請求項４２の方法。
【請求項４４】
偏光は眼組織に損傷を与えない、請求項４３の方法。
【請求項４５】
変化の方向は、照合組織から収集した定常状態の蛍光異方性の測定と比較した組織から得られた定常状態の蛍光異方性の減少に対応する、請求項１の方法。
【請求項４６】
ステップ（ａ）は、前記代謝または機能の第一状態において評価された前記眼組織の複数の深さからの前記放射された蛍光の空間マップを構成するステップをさらに有する、請求項１１の方法。
【請求項４７】
ステップ（ｂ）は、前記代謝または機能の第二状態おいて評価された前記眼組織の複数の深さからの前記放射された蛍光の空間マップを構成するステップをさらに有する、請求項４６の方法。
【請求項４８】
ステップ（ｃ）は、評価された前記眼組織の蛍光異方性の変化の空間マップを得るために、第一状態において評価された眼組織に関して得られた前記空間マップと、第二状態において評価された眼組織に対応する空間マップと、を比較するステップをさらに有する、請求項４７の方法。
【請求項４９】
ステップ（ｄ）は、第一状態の照合眼組織に関して得られた空間マップと、第二状態の照合眼組織に対応する空間マップと、を比較した、前記照合組織の蛍光異方性の変化の空間マップを得るステップをさらに有する、請求項４８の方法。
【請求項５０】
ステップ（ｅ）は、評価された眼組織の機能的能力を測定するために、評価された前記眼組織の蛍光異方性の変化の前記空間マップを、照合組織の蛍光異方性の変化の空間マップと比較するステップをさらに有する、請求項４９の方法。
【請求項５１】
生体眼組織の機能的能力を評価する非破壊的方法であって、
眼組織に破壊的でない代謝または機能の第一状態、にある眼組織の蛍光体から放射される蛍光の第一定常状態の蛍光異方性を測定するステップと、
眼組織に破壊的でない代謝または機能の第二状態、にある眼組織の蛍光体から放射される蛍光の第二定常状態の蛍光異方性を測定するステップと、
第一定常状態の蛍光異方性と第二定常状態の蛍光異方性とを比較することにより蛍光異方性の変化を測定するステップと、
蛍光異方性の変化から眼組織の機能的能力を測定するステップと、
を有する、方法。